(57)【要約】【課題】Ｙ型及び丸型圧着端子で使用できるネジ無端子台を提供する。又端子台の各極間の短絡に必要な専用部品を省略して、各極の端子台を重ねて組み立てた状態で自動的に短絡接続できるものを提供する。【解決手段】第１の発明では、端子基台に装着した接続板は両側端に内方に折曲した折曲部と、前記接続板の中央部には段差部を形成した連結部と、前記折曲部の内側面に対向して段差部に設けたＵ形接続部と、該Ｕ形接続部に対向して折曲部の内側に形成したクリップ状接続部と、該クリップ状接続部に接続板バネの一方の側片部を対向配置すると共に、前記Ｕ形接続部に当接した接続板バネの他方の側片部と、前記接続板の折曲部と接続板バネの側片部間に圧着端子を挿入し、該圧着端子の基部をクリップ状接続部で挟持接続した構造。第２の発明では、接続板と接続板バネを装着した端子基台と、前記接続板の左右に設けた接続片部を連結する連結部と、該連結部に設けたコ字状のソケット部と、前記端子基台を重ねて組み立てた時各極のソケット部が接続される構造。【選択図】図１
2005063814.tif 000002
【特許請求の範囲】
【請求項１】
両側に側片部を有する接続板バネと、該接続板バネを覆う接続板を装着した端子基台とよりなるネジ無端子台において、前記接続板は両側端内方に折曲形成した折曲部と、該折曲部に隣接して設けた平面部と、該平面部間に段差部を介して形成した連結部と、前記折曲部の内側面に対向して段差部に設けたＵ形接続部と、該Ｕ形接続部に対向し折曲部の内側に形成したクリップ状接続部と、該クリップ状接続部に接続板バネの一方の側片部を対向配置すると共に、前記Ｕ形接続部に当接した接続板バネの他方の側片部と、前記接続板の折曲部と接続板バネ間に装着した電線端末の圧着端子と、該圧着端子の基部を挟持接続するクリップ状接続部とよりなるネジ無端子台の接続構造。
【請求項２】
電線を端末処理した圧着端子は、Ｙ形圧着端子又は丸形圧着端子が使用できる請求項１記載のネジ無端子台の接続構造。
【請求項３】
接続板の連結部の段差部内に設けた接続板バネと、該接続板バネの両側の側片部と段差部の内側面間に電線端末のピンターミナルを装着接続した請求項１記載のネジ無端子台の接続構造。
【請求項４】
両側に側片部を有する接続板バネと、該接続板バネを覆う接続板を装着した端子基台よりなるネジ無端子台において、前記接続板の左右に設けた接続片部を連結する連結部と、該連結部に設けたコ字状のソケット部と、前記端子基台を重ねて組み立てた時各極のソケット部が接続されるネジ無端子台の接続構造。
【発明の詳細な説明】
【技術分野】
【０００１】
本発明は、板バネ間に電線の芯線、又は端末処理をしたピンターミナルを差込接続するネジ無端子台の接続構造に関するもので、従来差込接続に対応できなかった圧着端子で差込接続できる構造を提案し、さらに各極を短絡する構造を改善するものである。
【背景技術】
【０００２】
第１の発明について、従来のネジ無端子台の板バネ間に圧入する電線の端末は、一般的にヨーロッパで普及しているピンターミナルが使用されている。しかし日本国内では、ピンターミナルが普及しておらず、又ピンターミナルを使用する場合、専用のカシメ工具が必要となり、カシメ工具が高価であるという問題点があった。又、電線サイズに合わせて使用電線の数だけピンターミナルを用意する必要があり、またピンターミナルの場合に筒型のマークチューブが脱落してしまう問題があった。
【０００３】
第２の発明について、従来のネジ無端子台では複数極に組み立てられた端子台の各極を短絡する場合ショートバー又はコモンバーを使用して短絡していたため、短絡のために専用部品を必要とし、多数極になると極数に応じてショートバー又はコモンバーを必要としていた。コモンバーでネジ無端子台の各極を短絡する従来例として特開２０００−１２１１９があるが、この構造を図１７、図１８に基づいて説明すると、複数のターミナルユニット２１ａ、２１ａ間にコモンバー３を架設してターミナルユニット２１ａ、２１ａ間を短絡していたため、短絡したい極数の数だけコモンバー３を必要とし、コモンバー３をターミナルユニット２１ａ、２１ａに装着する作業が狭い設置場所で実施しなければならない問題点があった。
【特許文献１】２０００−１２１１９
【発明の開示】
【発明が解決しようとする課題】
【０００４】
第１の発明では、従来のネジ無端子台の電線接続の際に電線の端末処理はピンターミナルしか使用できないため、電線の端末処理として圧着端子で差込接続できるネジ無端子台を提供することを課題とする。
【０００５】
第２の発明では、従来のネジ無端子台の各極間の短絡に必要な専用部品を省略して、各極の端子台を重ねて組み立てた状態で各極の接続板を利用して自動的に各極の短絡ができるネジ無端子台を提供することを課題とする。
【課題を解決するための手段】
【０００６】
第１の発明では、ネジ無端子台に電線端末に使用した圧着端子が接続できるようにするために、端子基台に装着した接続板は両側端に内方に折曲した折曲部と、該折曲部に隣接して設けた平面部と、該平面部間に段差部を介して形成した連結部と、前記折曲部の内側面に対向して段差部に設けたＵ形接続部と、該Ｕ形接続部に対向して折曲部の内側に形成したクリップ状接続部と、該クリップ状接続部に接続板バネの一方の側片部を対向配置すると共に、前記Ｕ形接続部に当接した接続板バネの他方の側片部と、前記接続板の折曲部と接続板バネの側片部間に電線端末の圧着端子を接続挿入し、圧着端子の基部をクリップ状接続部で挟持接続した構造。
【０００７】
第２の発明では各極を短絡する手段として、接続板と接続板バネを装着した端子基台と、前記接続板の左右に設けた接続片部を連結する連結部と、該連結部に設けたコ字状のソケット部と、前記端子基台を重ねて組み立てた時各極のソケット部が接続される構造。  
【発明の効果】
【０００８】
第１の発明では、電線端末の圧着端子の両側部を接続板の折曲部と接続板バネの側片部で圧接し、圧着端子の基部を挟持圧接する構造としたので、従来のネジ固定式の圧着端子が板バネ間に圧入するネジ無端子台に接続可能となり、ネジ無端子台専用のターミナルピンのカシメ工具を使用する必要がなく、筒形のマークチューブが圧着端子から脱落することなく使用でき、日本国内の市場に適合したネジ無端子台が得られる効果ある。
【０００９】
第２の発明では、接続板と接続板バネを装着した端子基台と、前記接続板の連結部にソケット部を設け、
端子基台を重ねて組み立てた時各極のソケット部が接続する構造としたので、各極を短絡する専用部品を使用しないで各極が短絡できる効果がある。 
【発明を実施するための最良の形態】
【００１０】
第１の発明は、接続板と接続板バネを装着した端子基台と、前記接続板は両側端内方に折曲形成した折曲部と、該折曲部に隣接して設けた平面部と、該平面部間に段差部を介して形成した連結部と、前記折曲部の内側面に対向して段差部に設けたＵ形接続部と、該Ｕ形接続部に対向して折曲部の内側に形成したクリップ状接続部と、該クリップ状接続部に接続板バネの一方の側片部を対向配置すると共に、前記Ｕ形接続部に当接した接続板バネの他方の側片部と、前記接続板の折曲部と接続板バネ間に装着した電線端末の圧着端子と、該圧着端子の基部を挟持接続するクリップ状接続部よりなる構造。
【００１１】
第２の発明は、接続板と接続板バネを装着した端子基台と、前記接続板の左右に設けた接続片部を連結する連結部と、該連結部に設けたコ字状のソケット部と、前記端子基台を重ねて組み立てた時各極のソケット部が接続される構造。
【実施例】
【００１２】
第１の発明の第１実施例について図１〜図６に基づいて説明すると、３０は端子基台で絶縁物性の合成樹脂で構成され、３１、３１は接続板バネでバネ性を有し、上部に半円形の逆Ｕ字型部３１ａを形成し、下部は両側にハ字状に開いた側片部３１ｂ、３１ｂを一体成形し、逆Ｕ字型部３１ａが端子基台３０の支持軸部３２、３２に嵌合し端子基台３０の左右に保持されている。  
【００１３】
３３は接続板で左右端に内方に折曲した折曲部３３ａ、３３ａを有し、折曲部３３ａ、３３ａに隣接して平面部３３ｂ、３３ｂを形成し、平面部３３ｂ、３３ｂの間に段差部４２，４２を設けて連結部３３ｃを形成し、３３ｄ、３３ｄはクリップ状接続部で左右の折曲部３３ａ、３３ａの内側に隣接して設けられ、３３ｅ、３３ｅはＵ形接続部で折曲部３３ａ、３３ａの内側に対向して平面部３３ｂ、３３ｂの段差部４２、４２に折曲して設けられている。  
【００１４】
接続板バネ３１、３１と接続板３３の端子基台３０への組込みは、接続板バネ３１、３１の逆Ｕ字型部３１ａ、３１ａを端子基台３０の凹部内の支持軸部３２，３２に嵌合した後、接続板バネ３１、３１が接続板３３の平面部３３ｂ、３３ｂ内に位置し、接続板バネ３１、３１の側片部３１ｂ、３１ｂがクリップ状接続部３３ｄ、３３ｄとＵ形接続部３３ｅ、３３ｅとの間に位置し、側片部３１ｂ、３１ｂの一方の端部がＵ形接続部３３ｅ、３３ｅの側面に当接した状態で、接続板３３が接続板バネ３１、３１を覆うように端子基台３０の凹部内に嵌合装着されている。
【００１５】
３４、３４は挿入孔で電線に端末処理としてカシメた圧着端子３５が挿入され、図５に示す如く圧着端子３５の一方の側片３５ａが接続板３３の折曲部３３ａの内側面に当接し、圧着端子３５の他方の側片３５ａが接続板バネ３１の他方の側片部３１ｂに当接し、さらに圧着端子３５の基部３５ｂがクリップ状接続部３３ｄに圧接挟持されて圧着端子３５が接続板３３に接続固定される。４３、４３は解除釦で端子台より電線を外す際に、解除釦４３、４３を押圧して接続板バネ３３の一方の側片部３１ｂを内側に変形させて圧着端子３５の側片３５ａへの圧力を解いて電線を外すことができる。以上の電線の端末処理をした圧着端子３５は、Ｙ型の圧着端子で説明をしたが丸型の圧着端子でも実施可能である。
【００１６】
第１の発明の第２実施例について図７〜図９に基づいて説明すると、第２実施例は第１実施例の圧着端子３５を端子台に接続出来る構成は同一であるため同一部分については説明を省略し、従来の電線端末処理したピンターミナルを接続可能とした追加構成のみを説明すると、３６は接続板バネで上部に半円形の逆Ｕ形部３６ａを有し、下方にハ字状の側片部３６ｂ、３６ｂを有し、端子基台３７の支持軸部３７ａに軸支して保持し、接続板バネ３６が接続板３８の段差部４２、４２間に形成された連結部３９に覆われ、段差部４２、４２の内側面に側片部３６ｂ、３６ｂが当接して装着されている。接続電線の挿入孔４０、４０にショートバーのターミナルピン４１を挿入し、ターミナルピン４１が接続板バネ３６の側片部３６ｂ、３６ｂと接続板３８の段差部４２、４２の内側面の間に圧入されて電線が端子台に接続固定される。
【００１７】
第２の発明について図１０〜図１６に基づいて説明すると、５０は端子基台、５１，５１は接続板バネでバネ性を有し、上部に半円形の逆Ｕ字型部５１ａを形成し、下部には両側にハ字状に開いた側片部５１ｂ、５１ｂを一体形成し、逆Ｕ字型部５１ａが端子基台５０の支持軸部５０ｃ、５０ｃに嵌合し保持されている。５２は接続板で左右の両側に凹状内方に折曲した接続片部５２ａ、５２ａを有し、左右の接続片部５２ａ、５２ａは下部水平に設けた連結部５３で結合して一体形成され、５４、５４はソケット部で連結部５３の中間部にコ字状に形成されている。
【００１８】
接続板バネ５１、５１及び接続板５２の端子基台５０への組み込み状態を説明すると、接続板バネ５１、５１の逆Ｕ字型部５１ａを端子基台５０の凹部内の支持軸部５０ｃ、５０ｃに嵌合し、接続板バネ５１、５１の側片部５１ｂ、５１ｂが接続板５２の接続片部５２ａ、５２ａで覆うようにして接続板５２を端子基台５０の凹部内に嵌合装着し、接続板バネ５１、５１の側片部５１ｂ、５１ｂが接続片部５２ａ、５２ａの凹部内側面間に当接して組み込まれている。５５、５５は電線接続のための挿入孔で、電線の芯線を挿入孔５５，５５に挿入すると芯線が接続板５２の接続片部５２ａ、５２ａの内側面と接続板バネ５１、５１の側片部５１ｂ、５１ｂ間に圧入されて、電線が端子台に接続固定される。
【００１９】
端子台の各極の短絡構造について説明すると、接続板５２のソケット部５４は端子基台５０に装着した状態では、図１２に示す如く端子基台５０の側面の孔５６より外部に突出しており、従って端子基台５０を重ねて組み立てた状態では、図１５に示す如くソケット部５４が次の極の接続板５２のソケット部５４に圧入し、端子基台５０の組み立てによって自動的に各極が短絡されることになる。
【００２０】
ソケット部５４の構造は図１５、図１６に示す如く、接続板５２の連結部５３の上下に挟持接続部５４ｂ、５４ｂをコ字状に形成し、挟持接続部５４ｂ、５４ｂの先端は上下方向に開いた形状を有し、挟持接続部５４ｂ、５４ｂの基部には孔５４ｃ、５４ｃが形成され、端子基台５０の組み立ての際、ソケット部５４の挟持接続部５４ｂ、５４ｂの先端開放部に案内されて次のソケット部５４の挟持接続部５４ｂ、５４ｂを挟持して圧入されて接続され、挟持接続部５４ｂ、５４ｂの先端が孔５４ｃ、５４ｃに入り込み接続固定が確実にできる。
【産業上の利用可能性】
【００２１】
第１の発明では、日本国内ではネジ式端子台が一般的に使用されているため電線端末はネジ固定の圧着端子が使用されているため、ネジ無端子台に圧着端子が使用できるものがなかったことから本発明で圧着端子が使用できるネジ無端子台を提供するもので、制御機器分野の中継端子として市場の要求に対応したものである。
第２の発明では、従来のネジ無端子台の各極の短絡は専用部品を使用していたため、専用部品のコストが係り、短絡接続作業を要していたため、本発明では短絡専用部品を省略し、端子台組み立てによって自動的に各極が短絡できるものを提案するもので、制御機器分野での利用が期待できる。
【図面の簡単な説明】
【００２２】
【図１】第１発明の第１実施例のネジ無端子台の構造図
【図２】第１発明の第１実施例のネジ無端子台の背面図
【図３】第１発明の第１実施例のネジ無端子台の組立斜視図
【図４】第１発明の第１実施例の接続金具の要部斜視図
【図５】第１発明の第１実施例の接続金具の要部正面図
【図６】第１発明の第１実施例の圧着端子を差込接続した状態の要部斜視図
【図７】第１発明の第２実施例のネジ無端子台の正面図
【図８】第１発明の第２実施例のネジ無端子台の接続金具の要部正面図
【図９】第１発明の第２実施例のネジ無端子台の組立斜視図
【図１０】第２発明の実施例のネジ無端子台の構造図
【図１１】第２発明の実施例のネジ無端子台の組立状態の斜視図
【図１２】第２発明の実施例のネジ無端子台の背面斜視図
【図１３】第２発明の実施例のネジ無端子台の接続金具の正面斜視図
【図１４】第２発明の実施例のネジ無端子台の接続金具の背面斜視図
【図１５】第２発明の実施例のネジ無端子台の接続金具を組立接続した斜視図
【図１６】第２発明の実施例のネジ無端子台の接続金具を組立接続した要部斜視図
【図１７】第２発明の従来例を示す分解斜視図
【図１８】第２発明の従来例を示す要部断面図
【符号の説明】
【００２３】
３ コモンバー
２１ａ ターミナルユニット
３０ 端子基台
３１、３１ 接続板バネ
３１ａ 逆Ｕ字型部
３１ｂ、３１ｂ 側片部
３２、３２ 支持軸部
３３ 接続板
３３ａ、３３ａ 折曲部
３３ｂ、３３ｂ 平面部
３３ｃ 連結部
３３ｄ、３３ｄ クリップ状接続部
３３ｅ、３３ｅ Ｕ形接続部
３４、３４ 挿入孔
３５ 圧着端子
３５ａ、３５ａ 側片
３５ｂ 基部
３６ 接続板バネ
３６ａ 逆Ｕ形部
３６ｂ、３６ｂ 側片部
３７ 端子基台
３７ａ 支持軸部
３８ 接続板
３９ 連結部
４０、４０ 挿入孔
４１ ターミナルピン
４２、４２ 段差部
４３、４３ 解除釦
５０ 端子基台
５０ｃ、５０ｃ 支持軸部
５１、５１ 接続板バネ
５１ａ 逆Ｕ字型部
５１ｂ、５１ｂ 側片部
５２ 接続板
５２ａ、５２ａ 接続片部
５３ 連結部
５４ ソケット部
５４ｂ、５４ｂ 挟持接続部
５４ｃ、５４ｃ 孔
５５、５５ 挿入孔
５６ 孔
【図１】
2005063814.tif 000003
【図２】
2005063814.tif 000004
【図３】
2005063814.tif 000005
【図４】
2005063814.tif 000006
【図５】
2005063814.tif 000007
【図６】
2005063814.tif 000008
【図７】
2005063814.tif 000009
【図８】
2005063814.tif 000010
【図９】
2005063814.tif 000011
【図１０】
2005063814.tif 000012
【図１１】
2005063814.tif 000013
【図１２】
2005063814.tif 000014
【図１３】
2005063814.tif 000015
【図１４】
2005063814.tif 000016
【図１５】
2005063814.tif 000017
【図１６】
2005063814.tif 000018
【図１７】
2005063814.tif 000019
【図１８】
2005063814.tif 000020